(57)【要約】この発明は、本底および中底および前記本底と中底との間の挿入部材を備え、前記挿入部材は、クッション部材を収容する第１の空洞を有する少なくとも１つのかご部を備え、前記中底は、前記クッション部材を少なくとも一部に挿入しうる第２の空洞を備える靴底構造に関する。
2011527924.tif 000002
【特許請求の範囲】
【請求項１】
本底（３１）と、中底（３３）と、前記本底および前記中底の間に位置する挿入部材（４）とを備え、
前記挿入部材は、使用者の足のかかと領域に位置する少なくとも１つのかご部（４１０）を備え、
前記かご部は、少なくとも一部にクッション部材（５）を収容する第１の空洞（４１）を備え、
前記中底は、前記クッション部材を少なくとも一部に挿入しうる少なくとも第２の空洞（３３０）を備えることを特徴とする靴底構造（１０）。
【請求項２】
前記クッション部材は、使用者の足または前記靴底構造の中敷（１５０）に接触して入りうる、請求項１に記載の靴底構造。
【請求項３】
前記第２の空洞は、前記中底の全厚を貫通する孔である、請求項２に記載の靴底構造。
【請求項４】
前記クッション部材は、使用者の足または前記靴底構造の中敷（１５０）に接触して入ることが可能なように、前記孔を通して挿入される、請求項３に記載の靴底構造。
【請求項５】
前記かご部は、前記第１の空洞の周囲を少なくとも一部区画する内面（４１２）を有する少なくとも１つの側壁（４１１）を備える、請求項１ないし４のいずれか１つに記載の靴底構造。
【請求項６】
前記かご部は、前記第１の空洞とつながる少なくとも１つの第３の空洞（４３）を備える、請求項１ないし５のいずれか１つに記載の靴底構造。
【請求項７】
前記第３の空洞は、前記第１の側壁を少なくとも一部通って広がる、請求項５または６に記載の靴底構造。
【請求項８】
前記第３の空洞は、前記第１の側壁の内面から外面（４１３）への前記第１の側壁を通って広がる、請求項７に記載の靴底構造。
【請求項９】
前記第３の空洞は、管状の形状を有する、請求項６ないし８のいずれか１つに記載の靴底構造。
【請求項１０】
前記第３の空洞は、細長い形状を有する、請求項６ないし９のいずれか１つに記載の靴底構造。
【請求項１１】
前記クッション部材は、圧力が加えられると、少なくとも一部が少なくとも１つの所定の方向に沿って拡張しうる、請求項１ないし１０のいずれか１つに記載の靴底構造。
【請求項１２】
前記クッション部材は、圧力が加えられると、前記第３の空洞に少なくとも一部沿って拡張可能な、請求項６ないし１０のいずれか１つに記載の靴底構造。
【請求項１３】
前記クッション部材は、前記第３の空洞を通して少なくとも一部挿入される、請求項１１に記載の靴底構造。
【請求項１４】
前記クッション部材は、ゲル材料またはエラストマー材料または耐衝撃性材料からなる、請求項１ないし１３のいずれか１つに記載の靴底構造。
【請求項１５】
請求項１ないし１４のいずれか１つに記載の靴底構造（１０）を備える、靴（１００）。
【発明の詳細な説明】
【技術分野】
【０００１】
この発明は、改善された靴底（sole）構造に関する。とりわけ、この発明は、衝撃吸収の点で改善された性能を有し、使用者の足に快適な靴底構造に関する。
【背景技術】
【０００２】
周知のように、従来の靴は、靴底構造と結合した靴の甲（upper）を一般に備える。靴底構造は、地面と接触する接地面を備えた靴の本底（outsole）と、使用者の足を支持する中底（midsole）と、使用者の足をより快適にする１つ以上の中敷（insoles）とを通常備える。
【０００３】
靴底構造は、追加の支持を提供するため使用者の足の土踏まずおよびかかと領域にそれぞれ位置する土踏まず（shank）部材および月型（counter）部材のような追加要素をしばしば備える。
【０００４】
周知のように、衝撃吸収性は、特にスポーツ活動の開発に靴を対応させるとき、靴底構造において考慮すべき重要な要素である。このため、靴の技術は、衝撃吸収作用の提供を目的として靴底構造の開発に常に集中している。
【０００５】
ほとんどの靴底構造において、ポリウレタンや軟質ゴムのようなエラストマー材料の成型物からなる衝撃吸収体が採用され、通常、使用者の足のかかと領域における中底の下、本底に形成された凹部に納められる。残念ながら、これら従来の構造は、弱くてあまり知覚できない吸収効果を与え、頑丈さおよび圧力抵抗の点で厳しい制限を示す。中底自体、使用者の足および衝撃吸収材の間の分離要素となるため、衝撃の効果的な減衰を妨げる。
【０００６】
いくつかの既知の靴底構造において、衝撃吸収体は、内部に充填材を配置した多数の垂直経路を備えた経路構造を有する。この配置は、地面に向かう方向の比較的弱いレベルの圧縮率によって特徴付けられる。なぜなら、垂直経路は、使用者の足によって加えられる圧力と同一方向に配向した壁を有する支持格子によって区画されるからである。この事実は、衝撃吸収性を厳しく制限する。
【０００７】
特許出願US2008/0115389A1において、衝撃吸収体は、代わりに水平方向に配向し、ゲル、シリコン、ポリウレタン樹脂または軟質ゴム等の充填剤で満たされた異なるレベルのセルを区画するセル構造を有している。
【０００８】
この解決策は、靴底構造の厚さを増大する欠点を有する。なぜなら、十分な衝撃吸収効果を与えるには、多層のセルを要するからである。使用者の足および地面の間の距離は、使用者のバランスおよび歩行の制御に悪影響を及ぼす。
【０００９】
さらに、この靴底構造は、配置がかなり複雑であることが明らかにされており、産業レベルで製造するには比較的高価である。
【発明の概要】
【発明が解決しようとする課題】
【００１０】
前記の事情から明らかに、比較的安い人件費での製造がかなり容易であるものの、顕著な衝撃吸収効果、より一般的には、使用者の足に高い満足度を与えることが可能な靴底構造に対する需要が依然として大きく感じられる。
【課題を解決するための手段】
【００１１】
この発明の主な目的は、最新技術の欠点を克服し、前記の需要を満足させる靴底構造を提供する。この目的は、この発明による以下の請求項１に記載の靴底構造により実現される。
【００１２】
より一般的な定義において、この発明による靴底構造は、本底および中底の間に位置する挿入部材を備え、使用者の足のかかと領域に位置する少なくとも１つのかご部を備える。かご部は、少なくとも一部にクッション部材を収容する第１の空洞を備える。中底の第２の空洞は、前記クッション部材を少なくとも一部挿入しうる。
【００１３】
この発明による靴底構造は、使用者の足への衝撃吸収および支持の点で改善された性能を有し、同時に、極めて頑丈かつ製造が容易である。
【００１４】
この発明による靴底構造のその他の特徴および利点は、図面と併用して、以下の好ましい実施形態の記載から明らかになる。
【図面の簡単な説明】
【００１５】
【図１】図１は、この発明による靴底構造を備えた運動靴の透視図である。
【図２】図２は、第１の実施形態のこの発明による靴底構造の透視部分図である。
【図３】図３は、前記第１の実施形態のこの発明による靴底構造の分解図を示す。
【図４】図４は、図２〜３の靴底構造の部分側面図の概略を示す。
【図５】図５は、図２〜３の靴底構造の部分断面図の概略を示す。
【図６】図６は、別の実施形態のこの発明による靴底構造の部分側面図を示す。
【図７】図７は、図６の靴底構造の部分分解図の概略を示す。
【発明を実施するための形態】
【００１６】
ここで、引用図を参照して、この発明は、通常使用者の足を受ける領域を区画する靴の甲１１に通常結合することによって靴１００を形成する靴底構造１０に関する。
【００１７】
靴底構造１０は、本底３１を備える。本底３１は、接地面３１３を備えていてもよい。接地面３１３は、需要に応じて異なる形状を有していてもよい
【００１８】
引用図において、本底３１は、それぞれ使用者の足のかかと領域１００Ａおよびつま先領域１００Ｃに位置する２つの異なる部分３１１および３１２に分けられる。需要により、本底３１は、土踏まず領域１００Ｂも含む特有の部分を代わりに備えていてもよい。
【００１９】
かかと領域１００Ａにおいて、本底３１は、内部検査が可能となるように、好ましくは（図示しない）窓を備えていてもよく、および／または透明材質でできていてもよい。
本底３１は、ゴム、熱可塑性ゴム、熱可塑性ポリウレタンまたは他のポリウレタン材質のような、摩耗耐性のある高分子材料から作られるものであってもよい。
【００２０】
靴底構造１０は、使用者の足を支持するため、本底３１の上方に広がる、中底３３を備える。
中底３３は、好ましくはエチレン酢酸ビニル（ＥＶＡ）から作られ、下面３３２および上面３３１を備える。
【００２１】
靴底構造１０は、好ましくは靴の甲１１によって区画される領域内にあって好ましくは取り外し可能な中底３３の上に横たわる１つ以上の中敷１５０（図３のみに図示）も備える。
【００２２】
靴底構造１０は、少なくともかかと領域１００Ａにおける本底３１および中底３３の間に位置する挿入部材４を備える。
挿入部材４は、かかと領域１００Ａに位置する、少なくとも１つのかご部４１０を備える。
【００２３】
好ましくは、前記かご部４１０は、例えば、ポリウレタン材料のような比較的硬質のプラスチック材料でできた特有の部分から作られる。
代案として、比較的硬質の殻を多数重ね合わせることによって、かご部を得てもよい。
【００２４】
有利なことに、かご部４１０は、土踏まず領域１００Ｂに位置する、土踏まず部４２０と一体となっていてもよい。
代案として、土踏まず部４２０を、挿入部材４および／または本底３１と動作可能なように結合した分離部分として提供してもよい。
【００２５】
かご部４１０は、好ましくは地面と実質的に垂直な方向に伸びる第１の空洞４１を備える。
第１の空洞４１は、好ましくは底壁４１４を備え付けた下端部４１Ａを備える。
底壁４１４は、（図示しない）窓を任意に備える、および／または透明材料から作られるものであってもよい。
【００２６】
上端部４１Ｂにおいて、第１の空洞４１は代わりに中底３３に向かって完全にまたは一部開かれていてもよい。
中底３３は、第１の空洞４１とつながるように、前記上端部４１Ｂと実質的に合わせて配置される第２の空洞３３０を備える。
【００２７】
第２の空洞３３０は、好ましくは表面３３１および３３２の間の中底の全厚を貫通する孔である。
この場合、第１の空洞４１は、靴の甲１１によって区画される靴１００の内部領域とつながる。
【００２８】
（図示しない）可能な選択肢として、第２の空洞３３０は、中底３３と結合した材料層によって、または中底３３と一体になった壁によって上方が閉じられていてもよい。好ましくは、前記材料層（または前記壁）は、比較的薄くて柔軟である。また、このような材料層は少なくとも一部取り外し可能であってもよい。
【００２９】
かご部４１０は、好ましくは第１の側壁４１１を備える。第１の側壁４１１は、つま先領域１００Ｃに向かう空洞を有する馬蹄形を有していてもよい。
側壁４１１は、第１の空洞４１の周囲を少なくとも一部側面方向に区画する内面４１２と、かかと領域１００Ａにおける靴底構造１０の外形を少なくとも一部区画する外面４１３とを有する。
【００３０】
かご部４１０は、好ましくはつま先領域１００Ｃに向いた凸部を有する弓形を有する第２の側壁４１５も備える。側壁４１５は、第１の空洞４１の残りの周囲を有利に区画する。
【００３１】
（図示しない）別の実施形態において、第１の空洞４１は、環状を有する特有の側壁によって側面方向に区画されていてもよい。
かご部４１０は、好ましくは第１の空洞４１とつながり、第１の側壁４１１を少なくとも一部通って有利に広がる１以上の第３の空洞４３を備える。
【００３２】
好ましくは、第３の空洞４３は、第１の空洞４１が外部環境とつながるように、内面４１から外面４１３まで第１の側壁４１１の全厚を貫通する孔である。
【００３３】
代案として、第３の空洞は、第１の空洞４１の反対側に位置する端部４３Ａ（図２）で閉じていてもよい。第１の空洞４１および第３の空洞４３は、平行でない方向、好ましくは垂直方向に沿って伸びる。
【００３４】
好ましくは、側壁４１１の各側面は、図１〜５に示されるような、実質的に管状の形状を有する複数の平行な第３の空洞４３を備える。
図６〜７に示される、靴底構造１０の別の実施形態において、かご部１０は、第１の側壁４１１の一面に位置する２つの細長い空洞４３を備える。
【００３５】
（図示しない）さらに別の実施形態において、第３の空洞４３は、第２の側壁４１５に沿って、または壁４１１および４１５の両方に沿って位置するものであってもよい。
一般に、第３の空洞４３の形状は、需要および側壁４１１および／または４１５に沿った位置に応じて、どのような形状であってもよい。
【００３６】
第１の空洞４１は、クッション部材５を少なくとも一部収容する。クッション部材５は、好ましくは、少なくとも上部５１０を有する本体５１を備える。上部５１０は、第２の空洞３３０に少なくとも一部収容され、または収容されうる。
有利なことに、上部５１０で、クッション部材５は、使用者の足または中敷１５０に接触可能である。
【００３７】
空洞３３０が、中底３３の厚さを貫通する孔であるとき、クッション部材５と、使用者の足または中敷１５０との間で有利な直接接触が実現する。
空洞３３０が、薄く柔軟な層または壁によって上方で閉じられるとき、間接接触が得られる。
【００３８】
これら両方の場合において、使用者の足は、改善されたクッション効果による利益を享受しうる。使用者のかかとの圧力が、クッション部材５に直接加わり、もはや中底に加わらないためである。このように、中底３３は、クッション部材５によって与えられるクッション効果を少しも弱めない。
【００３９】
図２に示されるように、上部５１０は、好ましくは上面３３１からわずかに突き出るように空洞３３０に挿入される。この解決策は、クッション部材５と、使用者の足または中敷１５０との間の接触を著しく容易にする。
【００４０】
この好ましい実施形態によれば、上部５１０は、図５に示されるようなわずかに丸みのある外形、第２の空洞３３０の側壁との良好な結合を確保するための階段状の外形、または第２の空洞の上端および中底３３の上面３３１との良好な結合を確保するためのキノコ状の外形に合わせて加工してもよい。
【００４１】
代案として、上部５１０を、中底３３の上面３３１と同じ高さになるように第２の空洞３３０内に挿入してもよい。
さらに別の代案として、上部５１０を、第２の空洞内に一部分のみ挿入し、さらに別の代案として、上部５１０は、空洞３３０の外側に位置して空洞３３０に並ぶものであってもよい。
【００４２】
（図示しない）これら全ての別の実施形態において、使用者の足の圧力は、第２の空洞３３０内への上部５１０の完全な挿入および中底３３の上面３３１からの上部５１０の突出を生じ、クッション部材５を使用者の足または中敷１５０に接触させる。
【００４３】
クッション部材５は、好ましくは、第３の空洞４３内に少なくとも一部収容されかつ第３の空洞４３の内部の輪郭に合うように有利に加工された１つ以上の側部５２０も備える。
【００４４】
クッション部材５は、圧力が加えられると、所定の方法でその領域が変化、とりわけ使用者の足の圧力が加わる方向２０１に平行でなく、好ましくは垂直な１以上の所定の方向２００に沿って拡張可能なように配置される。
【００４５】
好ましくは、クッション部材は、垂直方向２０１に沿って圧力が加えられる間、地面に水平な１以上の方向２００に沿って拡張可能なように配置される。
【００４６】
第３の空洞４３は、クッション部材５に所定の拡張経路を与えるため、この異方的な拡張をいかに促進するかに注目すべきである。
それゆえ、（例えば、使用者が地面に対して足をもたれさせるため）圧力が加えられると、クッション部材５は、第３の空洞４３を通って拡張してもよい。反対に、（使用者が地面から足を上げるため）圧力が解放されると、クッション部材５は、最初の領域を少なくとも一部回復してもよい。
【００４７】
クッション部材５は、好ましくはゲル材料、対衝撃性の弾性材料（例えば、d3o（登録商標））またはエラストマー材料から作られるものであってもよい。
この発明の実施形態によれば、クッション部材５は、ゲル材料で満たされた成形パッドからなる。この解決策は、圧力が加えられるとき、クッション部材５のより迅速な拡張を可能にする。
【００４８】
クッション部材５は、例えば、重なり合う、または隣り合って位置する異なる材料からなる複数の層のように、異なる材料からなるおよび／または異なる密度を有する同一材料からなる複数の部分を備えていてもよい。
【００４９】
一例として、上部５１０は、異なる材料または異なる密度を有するゲルを備える本体５１上に注入されるゲル層を備えていてもよい。もちろん、層および／または材料のその他の組み合わせも可能である。
【００５０】
もう１つの例において、本体５１を、円筒形状を有し同心配置に従って位置する異なる材料からなる複数の垂直層により形成してもよい。
この発明による靴底構造は、意図された狙いおよび目的を達成可能にする。
【００５１】
靴底構造１０は、クッション部材５を収容し１以上の側壁によって区画される空洞４１を備えるかご部４１０を有する挿入部材４を備える。これは、かかと領域１００Ａにおいて靴底構造１０の比較的小さな厚さを与え、同時に使用者の足を支持する。
【００５２】
中底３３は、クッション部材５を挿入しうる第２の空洞３３０を備える。
この特徴は、クッション部材を使用者の足または中敷に直接接触させる。
それゆえ、中底３３の存在は、もはや最大限の衝撃吸収およびクッション効果の実現への障害とはならない。
【００５３】
クッション部材５は、所定の方向、好ましくは加えられる圧力と垂直方向に拡張するものであってもよい。挿入部材４１のかご部４１０は、クッション部材５の異方的な拡張の促進と同時に、使用者の足を支持するよう、第３の空洞４３を備えて構築される。
【００５４】
製造検査は、この発明による靴底構造１０が簡単に、特に産業レベルで組み立てうることを証明している。この特徴は、製造原価を著しく減少させる。
【図１】
2011527924.tif 000003
【図２】
2011527924.tif 000004
【図３】
2011527924.tif 000005
【図４】
2011527924.tif 000006
【図５】
2011527924.tif 000007
【図６】
2011527924.tif 000008
【図７】
2011527924.tif 000009
【国際調査報告】
2011527924.tif 000010
2011527924.tif 000011
2011527924.tif 000012